(57)【要約】本発明は、特に、限定されるものではないが、ボトル、化粧水等のガラス瓶又はアンプル）液体薬剤の容器のような壊れ易い品物のための保護コンテナに関する。１つの特徴は、壊れ易い品物が落下した時に保護するために、衝撃エネルギーを吸収する形態、たとえば、衝撃エネルギー吸収カラー（45,47;45',47）を、前後端面に、またはそれらに隣接して、それぞれ有している。本発明の別の特徴は、保護コンテナ(1;1')が吊り部材(17;17')、及び／又は波形壁構造物(37,39,41,43;37',39'41')及び／又は、コンテナ内に形成された開口(57,57')に掛合可能なフラップ(55,55')を備えている。さらに別の特徴は再生可能なラベル(101,101')、及び又は収納される品物を位置決めし形状を保持するための内側スカート(73,73')を備えている。さらに、コンテナの内容物を排出できるようにコンテナに装着される付属ノズル(150)を提供する。【特許請求の範囲】
【請求項１】
前端面と、後端面(9,9')と、前端面から後端面まで縦長に延びる側面(31,33,35;31',33',35')と、壊れやすい品物を収容するために前記各面間で形成された空洞と、縦向きに延びる中心軸線(X;X')とを有する、壊れやすい品物(100)を収容するための保護コンテナ(1,1')において、
前記側面を、少なくとも前後の端面に隣接した前後の位置で中心軸線を横断する最大寸法に形成することにより、保護コンテナが無端平坦面上に横向きに落下した時には、前後の位置が地面に衝突し、前後の位置において衝撃発生時の衝撃エネルギーを吸収するようになっていることを特徴とする保護コンテナ。
【請求項２】
前端面と、後端面(9,9')と、前端面から後端面まで縦長に延びる側面(31,33,35;31',33',35')と、壊れやすい品物を収容するために前記各面間で形成された空洞と、縦向きに延びる中心軸線(X;X')を有する、壊れやすい品物(100)を収容するための保護コンテナ(1,1')において、
前記側面を、少なくとも前後の端面に隣接した前後の位置で中心軸線を横断する最大寸法に形成することにより、
保護コンテナが無端平坦面上に横向きに落下した時に、前後の位置が地面に衝突し、前後の位置において衝撃発生時の衝撃エネルギーを吸収するようになっており、
コンテナは、前端面と、後端面と、側面を明確に定めた壁構造を有し、
上記側面は、外面と、空洞の境界面を形成する内面を有し、
前後位置間の側面での壁構造の外側面は、リブ(3７,37')とくぼみ(39,39')により波形に形成され、
前記くぼみは、壊れやすい品物が空洞内に収容された時に前記内面が壊れやすい品物に作用するように、内面のセクション(41,41')に重なり合っており、
前記リブは、衝撃を受けた時に壊れやすい品物を保護するために衝撃エネルギーを吸収するようになっている保護コンテナ。
【請求項３】
前記側面の前後位置では、コンテナの側部への衝撃に応じて中心軸線に向って内方に変形するようになっている請求項１又は２記載の保護コンテナ。
【請求項４】
側面の前後位置のうち少なくとも一方は、円周方向に方向付けられた突起部(45,47；45',47')のリムが形成されている請求項１，２又は３記載の保護コンテナ。
【請求項５】
少なくとも１つの前記突起部は、側面(33,35；33',35')部分をトランペットのような形状に形成することにより構成されている請求項４記載の保護コンテナ。
【請求項６】
少なくとも１つの前記突起部は、リム裏面に凹入領域(48,49；48',49')を有している請求項４又は５記載の保護コンテナ。
【請求項７】
少なくとも１つの前記凹入領域は、そこから離れた端面に向って突起部内に延びている請求項６記載の保護コンテナ。
【請求項８】
前記突起部は前端面に形成された前方突起部であり、前端面は外辺部を有し、前記前方突起部のリムは前記外辺部に隣接している請求項４乃至７のいずれかに記載の保護コンテナ。
【請求項９】
前記前端面には凹部(49；49')が形成され、該凹部は、前記リムと凹部の間にリップを形成する前端面の外辺部と一緒に前記凹入領域を形成している請求項７を引用した請求項８記載の保護コンテナ。
【請求項１０】
空洞に接近するために前記前端面に窓孔(57；57')を形成した請求項１乃至９のいずれかに記載の保護コンテナ。
【請求項１１】
前記窓孔を閉塞するための閉塞物(55；55')を備えている請求項１０記載の保護コンテナ。
【請求項１２】
前記閉塞物は、窓孔を閉じる閉位置と窓孔を開く開位置との間で移動可能となるように保護コンテナに固定されている請求項１１記載の保護コンテナ。
【請求項１３】
前記凹部は第１の凹部であり、前端面にボス(51；51')が形成され、前記窓孔は、前記ボスの第２の凹部(96;96')の底部に形成され、前記閉塞物は第２の凹部内に位置し、前記第１の凹部はボス周囲の環状溝(49;49')を形成している請求項１１又は１２記載の保護コンテナ。
【請求項１４】
前記突起部は後方突起部(45,45')であり、該後方突起部のリムは前記後端面の前方に間隔をおいており、後方突起部のリムと、後端面の前方に間隔をおいている凹入領域との間にリップが形成されている請求項６又は７記載の保護コンテナ。
【請求項１５】
前記凹入領域は側面の環状溝(48)を形成している請求項１４記載の保護コンテナ。
【請求項１６】
少なくとも１つの凹入領域は、円周方向に間隔をおいて配置された複数の強化リブ(50,69;50',69')を内蔵している請求項６，７，９，１３，１４又は１５記載の保護コンテナ。
【請求項１７】
後端面を含む後部品(5;5')と、該後部品に固定可能な前部品(3,3')からなり、前部品は、中空状に形成されると共に、壊れやすい品物を挿入するために後端部に開口(27';27）を有している前記いずれかの請求項に記載の保護コンテナ。
【請求項１８】
前記後位置は、前記前部品の後端部に形成された開口の外辺部上である請求項１７記載の保護コンテナ。
【請求項１９】
円周方向に方向付けられた少なくとも１つの前記突起部は、無端状のリングである請求項４乃至９のいずれかに記載の保護コンテナ。
【請求項２０】
少なくとも１つの前記突起部は、分離ビードよりなる分割状のリングである請求項４乃至９のいずれかに記載の保護コンテナ。
【請求項２１】
保護コンテナが逆向き姿勢の時に保護コンテナ内の品物に当接する空洞内の最も前端側の保持面(71;71')と、保護コンテナが正立姿勢の時に保護コンテナ内の品物に当接する最も後端側の保持面(23；23')とを有し、
前端側の保持面と後端側の保持面の少なくとも一方が、前位置及び後位置の軸方向内方に間隔をおいている請求項１乃至２０のいずれかに記載の保護コンテナ。
【請求項２２】
前記請求項１乃至２１のいずれかに記載の保護コンテナと、該保護コンテナの空洞内に収納される壊れやすい品物からなるパッケージ。
【請求項２３】
外面及び空洞を囲む内面とを有する壁構造物と、空洞内に収容される薬剤容器(100；100')とを有する保護コンテナ(1；1')とからなり、
外面の少なくとも一部セクション(31；31')は、リブ(37；37')とくぼみ(39；39')の波形を有し、
くぼみは容器に作用して容器を空洞内で位置決めするように内側面部分(41,41')に一致し、
波形のリブは、衝撃が加えられた時に壊れやすい容器を破壊から保護するように前記衝撃を吸収するようになっているパッケージ。
【請求項２４】
波形は、無端平面上に壁構造物の一部分が衝突した時にその衝撃エネルギーを吸収できるように、寸法採りがなされかつ構成されている請求項２３に記載のパッケージ。
【請求項２５】
壁構造物の内面は波形のリブ(41;41')とくぼみ(43;43')を有し、内面のリブは空洞内の容器に作用して容器を位置決めし、内面のくぼみは容器から間隔をおいており、内面のリブとくぼみは、それぞれ外面のリブとくぼみからずれて相殺されている請求項２３又は２４に記載のパッケージ。
【請求項２６】
壁構造物の一部が波形になっている請求項２３，２４又は２５のいずれかに記載のパッケージ。
【請求項２７】
壁構造物の外面は、保護コンテナの下端(9,9')、上端(29,29')及び側部(31,31')を提供しており、
壁構造物の少なくとも一セクションは側部となっている請求項２３〜２７のいずれかに記載のパッケージ。
【請求項２８】
波形のリブとくぼみは、下端から上端に向けて延びている請求項２７に記載のパッケージ。
【請求項２９】
前端(29)、後端(9')及び空洞を有する保護コンテナ(1')と、内容物を収納すると共に保護コンテナ内に配置される容器(100)であって、内容物を分配するための分配端(101)が、前端に対向状に位置決めされた容器とからなるパッケージにおいて、
前記前端は容器の内容物が容器の分配端から保護コンテナ外に分配できるように開口(57)を有しており、
保護コンテナには、収納位置から、保護コンテナが吊り下げ部材により逆さに吊り下げることができる展開位置まで移動可能なハンガー部材(17')が固定されているパッケージ。
【請求項３０】
前記ハンガー部材が収納位置の時には凹部内にきちんと収納されるように凹部(13')が形成されている請求項２９に記載のパッケージ。
【請求項３１】
容器は壊れやすく、
保護コンテナの後端は凹部の周りにシート面(9')を有しており、
該シート面は後端の衝撃エネルギー吸収セクション(11,11')によって提供されており、前記エネルギー吸収セクションは、後端に衝撃が加わった時に衝撃エネルギーを吸収して、壊れやすい容器を破壊から保護するようになっている請求項３０に記載のパッケージ。
【請求項３２】
衝撃エネルギー吸収セクションは、保護コンテナがそのシート面側で着座する時に壊れやすい容器から後方に間隔を隔てるように空洞の境界面を形成する内面(25a',25b')を有している請求項３１に記載のパッケージ。
【請求項３３】
空洞の前記境界面と容器は逃げ空間によって間隔を置いている請求項３２に記載のパッケージ。
【請求項３４】
前記凹部は、保護コンテナがそのシート面側で着座する時に、容器が載る空洞の境界面を形する内面(23')を有している請求項３３〜３３のいずれかに記載のパッケージ。
【請求項３５】
前記凹部によって形成された境界面は、衝撃エネルギー吸収セクションによって形成された境界面に対して前方に間隔を置いている請求項３２又は請求項３３に引用される請求項３４に記載のパッケージ。
【請求項３６】
前記凹部は収納位置のハンガー部材を解除可能に固定するための固定手段(21')を備えている請求項３０〜３５のいずれかに記載のパッケージ。
【請求項３７】
前端(29;29')、後端(9l;9')、側部(31;31')、及び前記両端とサイドの間に形成された空洞を有する保護コンテナ(1')と、空洞内に配置された壊れやすい容器(100)とからなるパッケージであって、壊れやすい容器は内容物を収納すると共に、保護コンテナの前端に対向する内容物分配用の分配端(101)を有しているパッケージにおいて、
保護コンテナの前端は、壊れやすい容器の分配端に接近するための窓孔(57,57')を有し、
保護コンテナは、窓孔を閉じる閉位置と、窓孔を開く開位置の間で移動可能な閉塞物(55;55')が固定されると共に、前記閉塞物を開位置で係止するための留め金機構(59,61;59',61')を備えているパッケージ。
【請求項３８】
閉塞物は開位置に係止された時に後方に延びている請求項３７記載のパッケージ。
【請求項３９】
収納位置と展開位置の間で移動可能な要素(55')であって、収納位置ではコンテナの面(96')に対し要素が添った状態となり、展開位置では前記面から離れるように延びた状態となる要素と、少なくとも一端の第１セクション(101b)がコンテナに貼り付けられたラベル(101)とを有しており、
前記ラベルは、収納位置から展開位置への要素の第１の動きの前において、少なくとも前記第１セクションに離脱可能に連結されると共に要素に貼り付けられた第２セクション(101a)を有し、
収納位置から展開位置への要素の第１の動きにおいては第２セクションは少なくとも一端の第１セクションから離れ、反対に要素の収納位置への戻りの動作においては、ラベルは再形成されるようになっている保護コンテナ。
【請求項４０】
コンテナから分配すべき物質を貯める空洞と、表面から物質を分配可能とする窓孔(57'）を有し、
前記要素は、コンテナに連結された閉塞物(55')であり、収納位置において窓孔を閉じ、展開位置において窓孔を開くようになっている請求項３９に記載の保護コンテナ。
【請求項４１】
少なくとも１つの離脱可能な連結手段は、ミシン目の切り取り線で構成されている請求項４０に記載の保護コンテナ。
【請求項４２】
品物(100)を収容する空洞を有し、
該空洞は境界面(71;71')を有し、該境界面から、分離した複数のスカート部分(73;73')によって形成されたスカートが垂れ下がると共に、各スカート部分は内面及び外面を有しており、
スカート部の内面は、空洞内に品物が収容された時に品物の構造的な姿を包み込み、
各スカート部の外面は、スカート部が外方へ変形しないように抵抗する少なくとも１つの支持材(75;75')を備えている保護コンテナ。
【請求項４３】
請求項４２に記載の保護コンテナ(1;1')と、該コンテナ内に収容される容器から構成されるパッケージであり、
品物は、スカート部分によって囲まれると共に分配端(101)を有しており、
空洞の境界面は窓穴(57;57')を有し、該窓孔を通して容器の分配端への経路を提供するようになっているパッケージ。
【請求項４４】
内容物と該内容物を分配するための分配端(10１)を有する壊れやすい容器(100)用の保護コンテナ(1)であって、
前端面(51)、後端面(10)、前記前端面から後端面まで延びる側面(31,33,35)、分配端が前端面に向いている前記容器を収容するために前記面間で囲まれた空洞、及び縦長の延長中心軸線(X)を有する保護コンテナにおいて、
側面は、仮に保護コンテナが横向きに無端平坦面に落下してもその前部及び後部が地面に衝突するように、少なくとも前端面と後端面に隣接する前部及び後部(45,47)で中心軸線を横断する最大寸法を有しており、
前記前部及び後部は、衝突時の衝撃を吸収できるようになっており、
コンテナは、前端面と、後端面と、側面を形成すると共に、外面と、空洞を形成する内面を有する壁構造物を備えており、
壁構造物の外面は、前部と後部間の側面に波形のリブ(39)とくぼみ(37)を有し、くぼみは内面(41)セクションに重なり合い、該内面(41)セクションは、空洞内に壊れやすい容器を収納した時に該壊れやすい容器に作用を及ぼし、リブは、衝撃が加わった時に衝撃エネルギーを吸収して壊れやすい容器を保護するようになっており、
保護コンテナの前端面には、壊れやすい容器の分配端に接近できるように窓孔(57)を有し、
保護コンテナの後端面は、凹部(13)と、該凹部周りのシート面(9)を有しており、このシート面は、後端面の衝撃エネルギー吸収セクション(11a,11b)によって提供され、該衝撃エネルギー吸収セクションは、後端面に衝撃が加わった時に衝撃を吸収して保護コンテナを破壊から保護するようになっており、
コンテナを吊り下げるためのハンガー(17)が、後端面から突出しないように前記凹部内に位置している保護コンテナ。
【請求項４５】
液体物質用の貯留室と貯留室用の孔明け可能な閉塞物(101)を有する保護コンテナの付属品において、
前記付属品は、該付属品を稼動位置のコンテナ構造物に連結するための連結セクション(153)と、付属品が稼動位置の時に、孔明け可能な閉塞物を孔明けするためのピアシングセクション(155)と、稼動位置の時に流体物質を貯留室から付属品内に流すための通路(159)を有しており、
前記連結セクションは、コンテナ構造物に連結セクションを連結できない第１の回転角位置から、コンテナ構造物に付属品を連結可能な第２の回転角位置に亘って、回転軸心(L)回りに回転可能となっている保護コンテナ用の付属品。
【請求項４６】
連結セクションはピアシングセクションに関する回転軸心回りに回転可能である請求項４５に記載の付属品。
【請求項４７】
連結セクションは、固定された軸位置で、第１の回転角位置と第２回転角置に亘って回転可能である請求項４５又は４６に記載の付属品。
【請求項４８】
連結セクションは、稼動位置において、付属品をコンテナ構造物に取外し可能に連結するようになっている請求項４５又は４６に記載の付属品。
【請求項４９】
連結セクションは、該連結セクションの外側円周突起に、コンテナ構造物の相手側ロック機構(98a,98b)に係合するロック機構(219)を有している請求項４５〜４８のいずれかに記載の付属品。
【請求項５０】
前記ロック機構は外方に向いている請求項４９に記載の付属品。
【請求項５１】
連結セクションの外側円周外辺部は、ロック機構を形成する少なくとも１つの延長部(219)を含んでいる請求項４９又は５０に記載の付属品。
【請求項５２】
連結セクションのロック機構は、外側円周外辺部において少なくとも環状フランジ(219)の一部分(221)となっている請求項４９，５０又は５１に記載の付属品。
【請求項５３】
前記ロック機構は、連結セクションの外側円周外辺部に形成される少なくとも１つの凹部の形態をなしている請求項４９に記載の付属品。
【請求項５４】
前記ロック機構は、第１及び第２の回転角位置の時に異なる場所に位置する外側円周外辺部の部分(221)に設けられている請求項４９〜５３のいずれかに記載の付属品。
【請求項５５】
第１の回転角位置では、外側円周外辺部は第１の領域内に位置し、
第２の回転角位置では、外側円周外辺部は第２の領域内に位置し、
前記第２の領域は、第１の領域の向こう側に延びる回転軸心回りに配置された分離セグメントを有しており、
ロック機構は、分離セグメントを形成する外側円周外辺部の一部に位置している請求項５４に記載の付属品。
【請求項５６】
ロック機構は、少なくとも２つのロック要素(221)を有し、該ロック要素は、回転軸に対して互いに反対側に配置されている請求項４９〜５５のいずれかに記載の付属品。
【請求項５７】
外側円周外辺部は、回転軸心回りに回転した時に、曲線の軌跡を描く請求項４９〜５６のいずれかに記載の付属品。
【請求項５８】
前記曲線の軌跡は円形の軌跡である請求項５７のいずれかに記載の付属品。
【請求項５９】
外側円周外辺部は非円形である請求項４９〜５８のいずれかに記載の付属品。
【請求項６０】
外側円周外辺部は、回転軸心に対して対称面である請求項４９〜５９のいずれかに記載の付属品。
【請求項６１】
回転軸心は外側円周外辺部の対称中心線である請求項４９〜６０のいずれかに記載の付属品。
【請求項６２】
連結セクションは、ピアシングセクションに関する軸方向の移動に対し、少なくとも実質的に固定されている請求項４５〜６１のいずれかに記載の付属品。
【請求項６３】
ピアシングセクションは通路の入り口に開口を有している請求項４５〜６２のいずれかに記載の付属品。
【請求項６４】
ピアシング部品(151)と、該ピアシング部品(151)に回転可能に設けられた連結部品(153)を備え、
該連結部品は連結セクションを有し、ピアシング部品はピアシングセクションを有している請求項４５〜６３のいずれかに記載の付属品。
【請求項６５】
付属品として付属ノズルを備え、該付属ノズルは、稼動位置の時に、コンテナ構造物の貯留室内の液体物質を付属ノズルを介して排出するようになっている請求項４５〜６４のいずれかに記載の付属品。
【請求項６６】
通路の出口に、開口を有する出口セクションを有している請求項６３を引用した請求項６５に記載の付属ノズル。
【請求項６７】
出口セクションは、通路の出口開口に液体流通可能に連通するチューブ(173)を受け入れるようになっている請求項６６に記載の付属ノズル。
【請求項６８】
出口セクションは、チューブが締り嵌めできるようになっている請求項６７に記載の付属ノズル。
【請求項６９】
出口セクションは、凸凹の外周面を有している請求項６８に記載の付属ノズル。
【請求項７０】
前記外周面は、円周方向に方向付けられた凸凹(171)を備えている請求項６９に記載の付属ノズル。
【請求項７１】
円周方向に方向付けられた凸凹は、少なくとも１つのかえり(171)である請求項７０に記載の付属ノズル。
【請求項７２】
連結セクションは出口セクションに対して相対的に回転可能である請求項６６〜７１のいずれかに記載の付属ノズル。
【請求項７３】
ピアシングセクション、出口セクション及び通路を有するピアシング部品(151)と、連結セクションを有すると共にピアシング部品に回転可能に設けられた連結部品(153)を有する請求項６６〜７２のいずれかに記載の付属ノズル。
【請求項７４】
ピアシング部品は、連結部品を貫通して延びている請求項６４〜７３のいずれかに記載の付属ノズル。
【請求項７５】
連結セクションが予め設定された軸方向位置であって第１の回転角位置にいる時に、ピアシング部品によって孔明け可能な閉塞物に孔を明け、そして、予め設定された前記軸方向位置に位置している時に第２の回転角位置へ連結部が回転できるようになっている請求項４５〜７４のいずれかに記載の付属品。
【請求項７６】
液体物質を保持するための貯留室及び該貯留室を閉塞する孔明け可能な閉塞物(101)とを有するコンテナ構造物(1,100)からなるコンテナシステム(200)において、
稼動位置のコンテナ構造物に付属品を固定するために、付属品の連結セクションと協同作業する連結セクション(51)を有すると共に、付属品の連結セクションが第２の回転角位置に位置している時のみ、コンテナ構造物の孔明け可能な閉塞物を孔明けするピアシングセクションを有しているコンテナシステム。
【請求項７７】
コンテナ構造物(1,100)と付属品(150)から構成されるコンテナシステムであって、
前記コンテナ構造物は、液体物質を保持するための貯留室と、該貯留室を閉塞する孔明け可能な閉塞物(101)と、連結セクション(51)とを有し、
前記付属品は、稼動位置のコンテナ構造物に付属品を固定するために付属品の連結セクションと協同作業する連結セクション(153)と、付属品の連結セクションが第２の回動角位置に位置している時のみ、コンテナ構造物の孔明け可能な閉塞物を孔明けするピアシングセクション(155)と、稼動位置の時に付属品に貯留室から液体物質を流通させる通路(159)を有するコンテナシステムにおいて：
前記連結セクションは、
(a)割出位置に一緒に割り出されると共に、
(b)割出位置から、両連結セクションが稼動位置においてコンテナ構造物に付属品を連結する協同操作位置へ、相対的に移動するようになっている付属品。
【請求項７８】
内側コンテナ(100)と外側コンテナ構造物(1)と付属品(150)からなるコンテナシステム(200)であって、
前記内側コンテナ（100)は、液体物質を収容する貯留室と該貯留室を閉塞する閉塞物(101)を有し、
外側コンテナ構造物(1)は、内側コンテナを収容する室、連結セクション(51)、及び前記内側コンテナが前記外側コンテナ構造物に収容された時に孔明け可能な閉塞物に対向する連結セクションに形成される窓孔(57)を有し、
付属品(150)は、稼動位置で外側コンテナ構造物に付属品を連結するようにコンテナ構造物の連結セクションと協同作業をする連結セクション(153)と、付属品が稼動位置に来た時に、外側コンテナ構造物内に収容された内側コンテナの孔明け可能な閉塞物を孔明けするように、窓孔を通して突出するピアシングセクション(155)と、付属品が前記稼動位置に位置して前記孔明けセクションで孔明け可能な閉塞物に孔を明けた時に、流体物質を付属品内に流通させる通路(159)を有しているコンテナシステム。
【請求項７９】
前記両連結セクションは、稼動位置において付属品を取外し能に連結するために協同作業を行なうようになっている請求項７６，７７又は７８に記載のコンテナシステム。
【請求項８０】
前記両連結セクションは、コンテナ構造物及び付属品の係合可能なセクションである請求項７６〜７９のいずれかに記載のコンテナシステム。
【請求項８１】
前記両連結セクションは、１つの割出位置に一緒に割り出されるようになっており、さらに両連結セクションは、割出位置から稼動位置まで付属品を持ってくるように相対的に移動するようになっている請求項７６又は７８のいずれかに記載のコンテナシステム。
【請求項８２】
前記両連結セクションは、割出位置から稼動位置まで付属品を持ってくるように相対的に回転可能になっている請求項７７又は８１のいずれかに記載のコンテナシステム。
【請求項８３】
割出位置に両連結セクションを割り出すために、連結セクションの１つには凹部(96)を形成し、他の１つには前記凹部内に載置用のシート(219)を形成してある請求項７７，８１又は８２のいずれかに記載のコンテナシステム。
【請求項８４】
前記凹部とシートの一方は雄型(221)を有し、他方は雌型(98a,98b)を有し、雄型と雌型は、両連結セクションが割出位置からコンテナ構造物に付属品を連結する稼動位置まで相対的に動いた時に、相互の係合するようになっている請求項８３に記載のコンテナシステム。
【請求項８５】
雌型は凹部を備えている請求項８４に記載のコンテナシステム。
【請求項８６】
雌型は少なくとも１つのスロット(98a,98b)からなり、雄型は、各スロットに適合する寸法の延長部(221)からなっている請求項８４又は８５記載のコンテナシステム。
【請求項８７】
コンテナ構造物は、連結セクションと該連結セクションン内に窓孔(57)を有する外側コンテナ(1)と、流体物質を収納すると共に孔明け可能な閉塞物を有する内側コンテナ(100)とを有し、
外側コンテナの前記窓孔は、付属品が稼動位置の時に孔明けセクションが前記窓孔を通して内側コンテナの孔明け可能な閉塞物に孔を明けられるようになっている請求項７６，７７又はこれら請求項７６又は７７を引用した請求項７９〜８６のいずれかに記載のコンテナシステム。
【請求項８８】
品物(100)を有する保護コンテナ(1,1')であって、品物を収容する内面と外面とこれら内外面間の厚みを有する外壁構造物と、該外壁構造物の内面によって境界付けられた品物を収納するための空洞とを有する保護コンテナにおいて、
外壁構造物の少なくとの１つのセクション(31;31')は、交互に連なるリブ(39,39')とくぼみ(37;37')からなる波形を有し、くぼみの内面(41;41')は、空洞内に収納された品物を支持するようになっており、さらに外壁構造物は、リブにおける第１の厚み(t1)と、該第１の厚みとは異なったくぼみにおける第２の厚みを有している保護コンテナ。
【請求項８９】
第１の厚みは第２の厚みよりも大きい請求項８８に記載の保護コンテナ。
【請求項９０】
外壁構造物のリブとくぼみでの厚さは、相互に同じである請求項８８又は８９に記載の保護コンテナ。
【請求項９１】
第１の厚みはリブ用の最小厚みであり、第２の厚みはくぼみ用の最大厚みである請求項８８又は８９に記載の保護コンテナ。
【請求項９２】
外壁部材の少なくとも１つのセクションは、可撓性部材からなっている請求項８８〜９１のいずれかに記載の保護コンテナ。
【請求項９３】
波形はさらに、リブをくぼみに連結する側壁を含んでおり、外壁構造物は、前記側壁に、第１の厚みより大きくない第３の厚み(t3)を有している請求項８８〜９１のいずれかに記載の保護コンテナ。
【請求項９４】
第３の厚みは、第２の厚みより大きい請求項９３に記載の保護コンテナ。
【請求項９５】
第３の厚みは、第１の厚みより小さい請求項９３又は９４に記載の保護コンテナ。
【請求項９６】
トップ(29;29')、ベース(9;9')及びサイド(31;31')を有し、外壁構造物が前記サイドに波形を有している請求項８８又は９５のいずれかに記載の保護コンテナ。
【請求項９７】
リブとくぼみが前記トップとベース間に向いて延びている請求項９６に記載の保護コンテナ。
【請求項９８】
外側コンテナは、請求項１〜２１、請求項３９〜４２、請求項４４又は請求項８８〜９７のいずれか１つに記載の保護コンテナである請求項７８又は８７に記載のコンテナシステム。
【請求項９９】
内側コンテナ及び外側コンテナは、請求項２２〜３８又は請求項４３に従ったパッケージである請求項７８又は８７に記載のコンテナシステム。
【請求項１００】
請求項４５〜７５のいずれかに記載した付属品(150)と共に使用するコンテナ(1)であって、
液体物質を収納すると共に孔明け可能な閉塞物(101)を有する内側コンテナ (100)を収容する室と、
前記室に開口する開口(57)と、
連結セクション(51)とを有し、
前記連結セクションは、ピアシングセクションを備えた付属品を稼動位置に位置させるように付属品の連結セクションと連結し、前記ピアシングセクションは、付属品が第２の回転角位置にある時にのみ孔明け可能な閉塞物に孔を明けるようになっている請求項４５〜７５のいずれかに記載のコンテナ。
【請求項１０１】
請求項１〜２１、請求項３９〜４２、請求項４４又は請求項８８〜９７のいずれかに記載の保護コンテナの形態となっている請求項１００に記載のコンテナ。
【請求項１０２】
表面(9)、該表面に形成された凹部(13)及び前記凹部から突出しないように凹部内に位置すると共にコンテナを吊り下げる固定ハンガー(17)を有するコンテナ(1)において、
前記表面、凹部及び固定ハンガーは、コンテナの取外し可能な部材(5)の一部を形成しているコンテナ。
【請求項１０３】
保護コンテナが、薬物を収納する容器を収容している請求項２２〜３８又は請求項４３のいずれかに記載のパッケージ。
【請求項１０４】
壊れやすい品物用のコンテナとして、請求項１〜２１、請求項３９〜４２、請求項４４又は請求項８８〜９７のいずれかに記載の保護コンテナを使用する方法。
【請求項１０５】
内側コンテナが薬品を収納する容器である請求項７８，８７，９８又は９９のいずれかに記載のコンテナシステム。
【請求項１０６】
添付図面の図１から図１９、図２０〜図２５又は図２６に記載され、前文で説明した保護コンテナ。
【請求項１０７】
添付図面の図１から図１９、図２０〜図２５又は図２６に記載され、前文で説明したパッケージ。
【請求項１０８】
添付図面の図１及び図１５〜図１９に記載され、前文で説明した付属品。
【請求項１０９】
添付図面の図１から図１９、図２０〜図２５又は図２６に記載され、前文で説明したコンテナシステム。
【発明の詳細な説明】
【０００１】
（発明の技術分野）
本発明は、コンテナに関し、特に、限定はされないけれども、液体薬剤用の容器が破損しないように保護するための保護コンテナに関する。本発明はまた、コンテナ構造物の付属品にも関する。
【０００２】
（発明の背景）
ゴム栓のような孔明け可能な閉塞物を有する容器（たとえば、ボトル、化粧水等のガラス瓶又はアンプル）内に、液体薬剤を収納することは知られている。そのような容器は、通常、薬剤で反応しない医用品位のガラスから製造されている。しかしながら、ガラスは本質的には堅いが、脆い特質を持っている。このことは、もし容器が落下した時に壊れやすいことを意味している。容器が破損すると薬剤は無駄に消費されることになる。さらに、薬剤が有毒物である場合には、こぼれると健康に悪影響を与える可能性がある。
【０００３】
上記課題に対して、容器を保護コンテナ内に収納することは知られている。保護コンテナは薬等の塗布器として構成されることがあり、ユーザーは上記塗布器を介して容器を保持し、接近し、薬剤を分配又は調剤する。たとえば、容器のゴム栓に挿入する注射針を挿通させるための窓孔をコンテナに明け、注射針を介して注射器に一定量の薬剤を排出し、薬剤を分配する。
【０００４】
上記のようなコンテナを使用することにより、薬剤のこぼれの問題が解決される一方、保護コンテナは、技術的に、コンテナが落下した場合に、容器の破壊をできるだけ防止できるようにしなければならない。
【０００５】
従来提案されている保護コンテナの例として、イーライ・リリー株式会社から販売されている呼吸疾患抗生物質、ミコチル「登録商標Micotil」（チルミコシン）の２５０mlガラスボトルを収納する保護コンテナがある。この保護コンテナは、ガラスボトルが、落下破損する可能性がある色々な状況下で用いられる場合、特に針をボトルの栓に刺し込む時には、特に必要である。上記落下破損の可能性がある状況とは、たとえば、畜牛にストレスが溜まって非常に扱いが困難になっている場合、悪天候の下、屋外で薬剤投与する場合、及び／又は馬の背に乗った状態で薬剤を投与する場合等である。上記従来の保護コンテナは３つの部材から構成されている。さらにそれは、ポリカーボネイトにより透明に製造され、ボトル表面のラベルを読むことができるようになっており、それによりオーバーラベルを貼る必要がないようになっている。
【０００６】
薬剤充填ガラスボトルの保護コンテナとして従来提案されている別の例として、ＥＰ−Ａ−０３０３７８８１が知られている。この安全保護コンテナは、ベース部と中空部とから構成されている。中空部は、一般に、ボトルをスナップ嵌合により内部に把持するように、円筒形ボディ部に形成されている。コンテナの内面とボトルの側面の間に隙間を確保するために、コンテナの側壁の内面には、縦方向に延びる複数のリブが互いに間隔をおいて形成されている。これらの”スペーサ”は、ボトルの円周方向の周囲を取り囲むクッションの役目を果たしている。ベースは、隆起した中央部と環状のエアクッションを提供するためにくぼんだ底壁を有しており、上記隆起した中央部の上にボトルの底部が載るようになっている。ボディ部の上端壁には中央くぼみが形成され、該中央くぼみには、脆いシールで閉じられた窓孔が形成されている。上記中央くぼみを設けていることにより、ボトルの上端の周囲に環状のエアクッションが形成されることになる。
【０００７】
ＥＰ−Ａ−０３０３７８８１に開示された保護コンテナは、ボトルを破壊から保護するためにエアクッションを設けてあるが、その一方、このコンテナの実用性を打ち消すような構成も一部有している。たとえば、コンテナの側壁の外周面がなめらかな面に形成されており、そのため、コンテナの縦方向のリブの一つが地面にぶつかった場合には、ボトルの圧縮及び破壊を引き起すことになる。さらに、ボディ部の上端壁を高くするタブをシールの他側に形成する一方、シールの一側がボトルに接触する。したがって、端部に衝撃がかかった場合には、ボトルはシールとベースの底壁の間で圧縮されて破壊される。
【０００８】
従来提案された保護コンテナは、また、他の分野においても、よりユーザーに役立つ用に改良されるべきである。たとえば、保護コンテナを把持する作業や、コンテナの窓孔を介して注射針を栓内に刺し込む作業は、必ずしも簡単ではない。したがって、コンテナ内に収納された容器から一定量の液体薬剤を排出するために、従来物と代わるべき手段を提供することが有益である。
【０００９】
この点に関し、環状の金属ひだによって容器内の適所にゴム栓を保持し、付属ノズルを使用することにより、容器に収納された液体薬剤を排出することは以前から知られている。付属ノズルは中央に外周スリーブを有しており、該スリーブから、鋭く尖った先端管状スパイクが先端側に突出している。スリーブは複数の弾性爪要素に分割された鋭い先端を有し、各爪要素は内向きのフランジを有している。付属ノズルは、鋭く尖った先端がゴム栓に刺し込まれ、液体薬剤がスパイク内の排出通路を通過して排出されるように工夫されており、弾力を有する上記爪要素が強制的にひだに押し付けられ、それによりフランジがひだの下側に係合し、付属ノズルを容器に連結するようになっている。
【００１０】
また、容器の栓に簡単に近付けるコンテナを保持する手段を提供することも有益である。
【００１１】
この点に関し、表面から突出しないようにコンテナ表面の凹部内にコンテナ吊り下げ用のハンガーを設けた上記型式の液体薬剤容器収納用保護コンテナを提供することも以前から知られている。
【００１２】
本発明の目的は、コンテナ内の収納物を、コンテナ落下時の破壊からより効果的に保護できるようにすることである。
【００１３】
さらに、より使い易いコンテナを提供することも目的としている。
【００１４】
（発明の要約）
本発明の第１の特徴は、前端面と、後端面と、前端面から後端面まで縦長に延びる側面と、壊れやすい品物を収容するために前記各面間で形成された空洞と、縦向きに延びる中心軸線とを有する、壊れやすい品物を収容するための保護コンテナにおいて、前記側面を、少なくとも前後の端面に隣接した前後の位置で中心軸線を横断する最大寸法に形成することである。それにより、保護コンテナが無端平坦面上に横向きに落下した時に、上記前後の位置が地面に衝突し、この前後の位置において衝撃発生時の衝撃エネルギーを吸収するようになっている。
【００１５】
好ましくは、前後位置での側面が、コンテナの側部への衝撃に応じて中心軸線に向って内方に変形するようになっている。
【００１６】
側面の前後位置のうち少なくとも一方は、円周方向に向けられた突起部のリムによって提供することができる。その突起部もしくは各々の突起部は、側面をトランペットのような形状に形成することにより構成することができる。好ましくは、その突起部もしくは各突起部は、リムの裏面に凹入領域を有している。典型的には、その凹入領域もしくは各凹入領域は、そこから遠い端面に向って突起部内に延びている。
【００１７】
好ましくは、その突起部又は突起部の１つは、前端面に形成された前方突起部であり、その前端面は外辺部を有し、前方突起部のリムは前記外辺部に隣接している。この場合、記前端面には凹部が形成され、該凹部は、前記リムと凹部の間にリップを形成する前端面の外辺部と一緒に前記凹入領域を形成している。
【００１８】
壊れやすい品物を取り扱うことが必要な場合、たとえば、品物内に収納された内容物を分配する場合には、空洞内と連絡するために前端面に窓孔が形成される。この場合、前記窓孔を閉塞する閉塞物を設けることが好ましく、特に、保護コンテナに固定されると共に、窓孔を閉じる閉位置と窓孔を開く開位置の間で移動可能な閉塞物を設けることが好ましい。
【００１９】
前記前端面の凹部は、前端面のボス周りに形成された環状溝を構成する第１の凹部であり、ボスには第２の凹部が形成されている。窓孔は、第２の凹部の底部に形成され、閉塞物は第２の凹部内に収納される。
【００２０】
好ましくは、その突起部又は突起部の１つは、後端面に形成された後方突起部であり、該後方突起部のリムは前記後端面の後方に間隔をおいて位置し、後方突起部のリムと、後端面の前方に間隔をおいて位置する凹入領域との間にリップが形成される。前記凹入領域は側面の環状溝を形成する。
【００２１】
好ましくは、前記凹入領域の１つは、複数の補強リブを円周方向に間隔をおいて内蔵する。
【００２２】
好ましくは、保護コンテナは、後端面を含む後部品と、該後部品に固定可能な前部品からなり、前部品は、中空状に形成されると共に、壊れやすい品物を挿入するために後端部に開口を有している。後方突起部は、開口の外周辺部に位置している。
【００２３】
保護コンテナは、さらに、保護コンテナを逆さにした時に品物が載る空洞内の最前端側の保持面と、保護コンテナを正立させた時に品物が載る最後端側の保持面を有し、最前端側の保持面は前記前位置の後方に間隔を置いており、及び／又は、最後端側の保持面は後位置の前方に間隔を置いている。この形状により保護コンテナの耐衝撃性を向上させることができる。
【００２４】
壊れやすい品物及び該品物の表面に貼られたいかなる表示ラベルも見ることができるように、保護コンテナは透明にすることが好ましい。保護コンテナは、プラスチック材料、好ましくはポリプロピレンから作ることができる。
【００２５】
本発明の第２の特徴は、前記第１の特徴に従った保護コンテナと、空洞内に収容される壊れやすい品物からなるパッケージを提供することである。
【００２６】
本発明の第３の特徴は、上記パッケージは、外面及び空洞を囲む内面とを有する壁構造物と、空洞内に収容される薬剤容器とを有する保護コンテナとからなり、外面の少なくとも一部セクションは、リブとくぼみの波形を有し、くぼみは容器に作用して容器を空洞内で位置決めするように内側面部分に一致し、波形のリブは、衝撃が加えられた時に壊れやすい容器を破壊から保護するように前記衝撃を吸収するようになっている。
【００２７】
上記波形は、無端平面上に壁構造物の一部分が衝突した時にその衝撃エネルギーを吸収できるように、寸法採りがなされかつ構成されている。
【００２８】
好ましくは上記壁構造物の内面は波形のリブとくぼみを有し、内面のリブは空洞内の容器に作用して容器を位置決めし、内面のくぼみは容器から間隔をおいており、内面のリブとくぼみは、それぞれ外面のリブとくぼみに対して、相殺されるようにずれている。
【００２９】
簡便化のために、壁構造物の一部セクションを波形にすることもできる。
【００３０】
好ましくは、壁構造物の外面は、保護コンテナのベース、トップ及びサイドを提供し、壁構造物の少なくとも一セクションをサイドとする。波形のリブとくぼみは、ボスからトップに向けた方向に又はその方向を横切るように延びている。保護コンテナは、波形が形成されたコンテナ部品と、コンテナ部品内に挿入可能なベース部品と、コンテナ部品とベース部品を一体的にロックする固定手段からなっている。固定手段は、コンテナ部品とベース部品のそれぞれに設けられた協同作業可能な固定要素から構成することができ、コンテナ部品の固定要素は壁構造物の内面に配置され、好ましくは、壁構造物の内面のリブに形成する。
【００３１】
本発明の第４の特徴によると、パッケージは、前端、後端及び空洞を有する保護コンテナと、内容物を収納すると共に保護コンテナ内に配置される容器であって、内容物を分配するための分配端が、前端に対向状に位置決めされた容器とからなるパッケージにおいて、前記前端は容器の内容物が容器の分配端から保護コンテナ外に分配できるように開口を有しており、保護コンテナには、収納位置から、保護コンテナが吊り下げ部材により逆さに吊り下げることができる展開位置まで移動可能なハンガー部材が固定されている。
【００３２】
好ましくは、後端に凹部が形成され、前記ハンガー部材が収納位置の時には前記凹部内にきちんと収納される。
【００３３】
仮に容器が壊れやすい場合は、保護コンテナの後端凹部の周りにシート面を形成し、ハンガー部材を収納位置時にはシート面の前方に位置させ、該シート面を、後端の衝撃エネルギー吸収セクションによって提供することが好ましく、前記エネルギー吸収セクションは、後端に衝撃が加わった時に衝撃エネルギーを吸収して、壊れやすい容器を破壊から保護する。一例として、衝撃エネルギー吸収セクションは、保護コンテナがそのシート面側で着座する時に壊れやすい容器から後方に間隔を隔てるように空洞の境界面を形成する内面を有する。空洞の前記境界面と容器の間の間隔は、無駄になるかも知れない。
【００３４】
好ましくは、前記凹部は、保護コンテナがそのシート面側で着座する時に、容器が載る空洞の境界面を形する内面を有する。
【００３５】
本発明の第５の特徴によると、パッケージは、前端、後端、側面、及び前記両端と側面の間に形成された空洞を有する保護コンテナと、空洞内に配置された壊れやすい容器からなるパッケージであって、壊れやすい容器は内容物を収納すると共に、保護コンテナの前端に対向する内容物分配用の分配端を有しているパッケージにおいて、保護コンテナの前端は、壊れやすい容器の分配端に接近するための窓孔を有し、保護コンテナは、窓孔を閉じる閉位置と、窓孔を開く開位置の間で移動可能な閉塞物が固定されると共に、前記閉塞物を開位置で係止するための留め金機構を備えている。
【００３６】
好ましくは、閉塞物は開位置に係止された時に後方に延びた状態となる。留め金機構は、協同作業可能な雄型部品と雌型部品とからなっており、たとえば、窓孔と、該窓孔に係合して開位置に閉塞物を留める突起から構成されている。
【００３７】
本発明の第６の特徴によると、保護コンテナは、収納位置と展開位置の間で移動可能な要素であって、収納位置ではコンテナの面に対し要素が添った状態となり、展開位置では前記面から離れるように延びた状態となる要素と、少なくとも一つの又は複数の第１セクションがコンテナに貼り付けられたラベルとを有しており、前記ラベルは、収納位置から展開位置への要素の第１の動きの前において、少なくとも前記第１セクションに離脱可能に連結されると共に要素に貼り付けられた第２セクションを有し、収納位置から展開位置への要素の第１の動きにおいては、第２セクションは少なくともそのもしくは各第１セクションから離れ、反対に要素の収納位置への戻りの動作においては、ラベルは再形成されるようになっている。その又は各離脱可能な連結手段は、ミシン目の切り取り線で構成される。
【００３８】
本発明の第７の特徴によると、保護コンテナは、品物を収容する空洞を有し、該空洞は境界面を有しており、該境界面から、分離した複数のスカート部分によって形成されたスカートが垂れ下がると共に、各スカート部分は内面及び外面を有しており、スカート部の内面は、空洞内に品物が収容された時に品物の構造的な形態を包み込み、各スカート部の外面は、スカート部が外方へ変形しないように抵抗する少なくとも１つの支持材を備えている。保護コンテナは、スカート部分によって囲まれる容器の分配端とともに容器が収納されるパッケージの部品を形成する。空洞の境界面は窓穴を有し、該窓孔を通して容器の分配端への経路を提供するように構成する。
【００３９】
本発明の第８の特徴によると、保護コンテナは、壊れやすい品物用のコンテナとして、前記第１、第６及び第７の特徴にしたがった保護コンテナの使用方法である。
【００４０】
本発明の第９の特徴によると、液体物質用の貯留室と貯留室用の孔明け可能な閉塞物を有する保護コンテナの付属品を提供する。前記付属品は、該付属品を稼動位置のコンテナ構造物に連結するための連結セクションと、付属品が稼動位置の時に、孔明け可能な閉塞物を孔明けするためのピアシングセクションと、稼動位置の時に流体物質を貯留室から付属品内に流すための通路を有しており、前記連結セクションは、コンテナ構造物に連結セクションを連結できない第１の回転角位置から、コンテナ構造物に付属品を連結可能な第２の回転角位置に亘って、回転軸心回りに回転可能となっている。
【００４１】
後述する一具体化例において、コンテナ構造物は内側コンテナ及び外側コンテナからなり、内側コンテナは外側コンテナ内に収容されると共に貯留室及び孔明け可能な閉塞物を有しており、外側コンテナは、内側コンテナの孔明け可能な閉塞物に一致する窓孔を有し、該窓孔を通して、ピアシングセクションが稼動位置の付属品に突出するようになっている。
【００４２】
典型的に、ピアシングセクションは通路の入り口に開口を有している。好ましくは、連結セクションンを、ピアシングセクションに関する回転軸心回りに回転可能に構成する。さらに好ましくは、連結セクションは、固定された軸位置で、第１の回転角位置と第２回転角位置に亘って回転可能とする。また、連結セクションは、付属品を稼動位置のコンテナ構造物に取外し可能に連結するように構成される。
【００４３】
付属品の連結セクションは、該連結セクションの外側円周外辺部に、コンテナ構造物の相手側ロック機構に係合するロック機構を有している。好ましくは、前記ロック機構は外方に向いており、たとえば、連結セクションの外側円周外辺部に、１つ又は複数の延長部が形成される。ロック機構は、外側円周外辺部において少なくとも環状フランジの一部分とすることもできる。別の例として、ロック機構は、連結セクションの外側円周外辺部に形成される１つ又は複数の凹部の形態をなすこともできる。
【００４４】
好ましくは、前記ロック機構は、第１及び第２の回転角位置の時に異なる場所に横たわる（又は影を落とす）外側円周外辺部の部分に設けられる。より好ましくは、第１の回転角位置では、外側円周外辺部は第１の領域内に位置し、第２の回転角位置では、外側円周外辺部は第２の領域内に位置し、前記第２の領域は、第１の領域の向こう側に延びる回転軸心回りに配置された分離セグメントを有し、ロック機構は、分離セグメントを形成する外側円周外辺部の一部に位置する。
【００４５】
ロック機構は、１つ又は複数のロック要素を有し、該ロック要素は、回転軸に対して互いに反対側に配置される。
【００４６】
好ましくは、外側円周外辺部は、回転軸心回りに回転した時に、曲線の軌跡、たとえば円形の軌跡を描く。外側円周外辺部は非円形とする。さらに、外側円周外辺部は、回転軸心に対して対称面とし、回転軸心は外側円周外辺部の対称中心線とする。
【００４７】
好ましくは、連結セクションは、ピアシングセクションに関する軸方向の移動に対し、固定又は実質的に固定される。
【００４８】
理想的には、ピアシング部品と、該ピアシング部品に回転可能に設けられた連結部品を備え、該連結部品は連結セクションを有し、ピアシング部品はピアシングセクションを有する。
【００４９】
付属品として付属ノズルを備え、該付属ノズルは、稼動位置の時に、コンテナ構造物の貯留室内の液体物質を付属ノズルを介して排出するように構成する。この場合、通路の出口に、開口を有する出口セクションを有し、出口セクションは、通路の出口開口に液体流通可能に連通するチューブを受け入れるようにする。この目的のために、出口セクションは、たとえば外周面に凹凸を形成することにより、チューブが締り嵌めできるように構成する。前記凹凸は、少なくとも１つのかえしの形態を採るように、円周方向に方向付けられた凸凹とすることができる。
【００５０】
理想的には、連結セクションは出口セクションに対して相対的に回転可能とする。この目的のために、ピアシング部品は、入口セクション、出口セクション及び通路を有する。また、ピアシング部品は、連結部品を貫通して延びている。
【００５１】
好ましくは、連結セクションが予め設定された軸方向位置であって第１の回転角位置にいる時に、ピアシング部品によって孔明け可能な閉塞物に孔を明け、そして、予め設定された前記軸方向位置に位置している時に第２の回転角位置へ連結部が回転できるようにする。
【００５２】
本発明の第１０の特徴では、液体物質を保持するための貯留室及び該貯留室を閉塞する孔明け可能な閉塞物とを有するコンテナ構造物と前記第９の特徴による付属品からなるコンテナシステムにおいて、稼動位置のコンテナ構造物に付属品を固定するために、付属品の連結セクションと協同作業する連結セクションを有すると共に、付属品の連結セクションが第２の回転角位置に位置している時のみ、コンテナ構造物の孔明け可能な閉塞物を孔明けするピアシングセクションを有している。
【００５３】
本発明の第１１の特徴では、コンテナ構造物と付属品から構成されるコンテナシステムであって、前記コンテナ構造物は、液体物質を保持するための貯留室と、該貯留室を閉塞する孔明け可能な閉塞物と、連結セクションとを有し、前記付属品は、稼動位置のコンテナ構造物に付属品を固定するために付属品の連結セクションと協同作業する連結セクションと、付属品の連結セクションが第２の回動角位置に位置している時のみ、コンテナ構造物の孔明け可能な閉塞物を孔明けするピアシングセクションと、稼動位置の時に付属品に貯留室から液体物質を流通させる通路を有するコンテナシステムにおいて：
前記連結セクションは、
(a)割出位置に一緒に割り出されると共に、
(b)割出位置から、両連結セクションが稼動位置においてコンテナ構造物に付属品を連結する協同操作位置へ、相対的に移動するようになっている。
【００５４】
本発明の第１２の特徴では、内側コンテナと外側コンテナ構造物と付属品からなるコンテナシステムであって、前記内側コンテナは、液体物質を収容する貯留室と該貯留室を閉塞する閉塞物を有し、外側コンテナ構造物は、内側コンテナを収容する室、連結セクション、及び前記内側コンテナが前記外側コンテナ構造物に収容された時に孔明け可能な閉塞物に対向する連結セクションに形成される窓孔を有し、付属品は、稼動位置で外側コンテナ構造物に付属品を連結するようにコンテナ構造物の連結セクションと協同作業をする連結セクションと、付属品が稼動位置に来た時に、外側コンテナ構造物内に収容された内側コンテナの孔明け可能な閉塞物を孔明けするように、窓孔を通して突出するピアシングセクションと、付属品が前記稼動位置に位置して前記孔明けセクションで孔明け可能な閉塞物に孔を明けた時に、流体物質を付属品内に流通させる通路を有している。
【００５５】
好ましくは、前記両連結セクションは、稼動位置において付属品を取外し能に連結するために協同作業を行なうようになっている。前記両連結セクションは、好ましくは、コンテナ構造物及び付属品の係合可能なセクションである
【００５６】
本発明の第１０及び第１２の特徴のコンテナシステムの両連結セクションは、１つの割出位置に一緒に割り出されるようになっており、さらに両連結セクションは、割出位置から稼動位置まで付属品を持ってくるように相対的に移動するようになっている。
【００５７】
前記両連結セクションは、割出位置から稼動位置まで付属品を持ってくるように相対的に回転可能になっている。
【００５８】
好ましくは、割出位置に両連結セクションを割り出すために、連結セクションの１つには凹部を形成し、他の１つには前記凹部内に載置用のシートを形成してある。前記凹部とシートの一方は雄型を有し、他方は雌型を有し、雄型と雌型は、両連結セクションが割出位置からコンテナ構造物に付属品を連結する稼動位置まで相対的に動いた時に、相互の係合するようになっている。好ましくは、雌型は凹部を備えており、より好ましくは、雌型は少なくとも１つのスロットからなり、雄型は、各スロットに適合する寸法の延長部からなっている。
【００５９】
第１０及び第１１の特徴のコンテナシステムは、連結セクションと該連結セクションン内に窓孔を有する外側コンテナと、流体物質を収納すると共に孔明け可能な閉塞物を有する内側コンテナとを有し、外側コンテナの前記窓孔は、付属品が稼動位置の時に孔明けセクションが前記窓孔を通して内側コンテナの孔明け可能な閉塞物に孔を明けられるようになっている。
【００６０】
本発明によるコンテナシステムの外側コンテナは、本発明による保護コンテナとすることができる。本発明によるコンテナシステムの内側コンテナ及び外側コンテナは、ひとまとめにして本発明によるパッケージとすることも可能である。
【００６１】
本発明の第１３の特徴では、本発明の第９の特徴の付属品と共に使用するコンテナであって、液体物質を収納すると共に孔明け可能な閉塞物を有する内側コンテナを収容する室と、前記室に開口する開口と、連結セクションとを有し、前記連結セクションは、ピアシングセクションを備えた付属品を稼動位置に位置させるように付属品の連結セクションと連結し、前記ピアシングセクションは、孔を介して閉塞物に貫通するように突出している。コンテナは、本発明にしたがった保護コンテナの形態をとることができる。
【００６２】
本発明の第１４の特徴では、コンテナは、表面、該表面に形成された凹部及び前記凹部から突出しないように凹部内に位置すると共にコンテナを吊り下げる固定ハンガーを有している。前記表面、凹部及び固定ハンガーは、コンテナの取外し可能な部材の一部を形成している。
【００６３】
固定ハンガーは、該ハンガーを貫通する板状要素とすることができ、板状要素は、凹部の一側から凹部の他側まで延びている。表面は両側によって拘束され、凹部は、表面の一側から表面の他側に延びる端部開口状の溝の形態とすることができる。コンテナは、品物を収納する室と凹部を有し、室内の凹部裏面は、その表面が最低位置にくる姿勢にコンテナが方向付けられた時に、品物が着座するようになっている。その表面は、凹部の両側にくぼんだものとすることができる。その表面は、その上にコンテナが着座できるコンテナのより低い端面とすることができ、この場合、コンテナは、コンテナの内容物を排出する窓孔を有する前端面を備えることができる。
【００６４】
本発明の第１５の特徴では、内面と外面とこれら内外面間の厚みを有する外壁構造物と、該外壁構造物の内面によって境界付けられた品物を収納するための空洞とを有する品物収納用の保護コンテナにおいて、外壁構造物の少なくとの１つのセクションは、交互に連なるリブとくぼみからなる波形を有し、くぼみの内面は、空洞内に収納された品物を支持するようになっており、さらに外壁構造物は、リブにおける第１の厚みと、該第１の厚みとは異なったくぼみにおける第２の厚みを有している。
【００６５】
好ましくは、第１の厚みは第２の厚みよりも大きい。外壁構造物のリブとくぼみでの厚さは、相互に同じである。そうでない場合には、第１の厚みはリブ用の最小厚みであり、第２の厚みはくぼみ用の最大厚みである。
【００６６】
好ましくは、外壁部材の少なくとも１つのセクションは、可撓性部材からなっている。
【００６７】
好ましくは、波形はさらに、リブをくぼみに連結する側壁を含んでおり、外壁構造物は、前記側壁に、第１の厚みより大きくない第３の厚みを有している。より好ましくは、第３の厚みは、第１の厚みより小さく、より好ましくは第２の厚みより大きい。
【００６８】
好ましくは、第１５の特徴に従った保護コンテナは、トップ、ベース及びサイドを有し、外壁構造物が前記サイドに波形を有している。リブとくぼみは、前記トップとベース間に向いて延びている。
【００６９】
本発明に従い、前記各特徴は、他の１つもしくは複数の特徴又は１つもしくは複数の他の特徴と結合することが可能である。
【００７０】
本発明の保護コンテナ、パッケージ及びコンテナシステムは、ミコチル（Micotil，登録商標）のような抗生物質等の薬物を収納する容器、ガラス瓶又はアンポウレと共に使用するために考え出された。
【００７１】
例に示すように、本発明の具体例は、添付図面の各図に基づいて説明する。
【００７２】
（発明の典型的な形態の詳細な説明）
以下、本発明の各種実施例を、参照符号を記入した図面に基づいて詳細に説明する。
【００７３】
図１〜図１９は本発明によるコンテナシステム２００の詳細を示しており、該コンテナシステム２００は、透明樹脂製の保護コンテナ１、保護コンテナ１内に収納される液体薬剤用のガラスボトル１１０及び付属ノズル１５０から構成されている。付属ノズル１５０は、ボトル１００のゴム栓１０１に孔を明けることによってボトル１００から液体薬剤を排出できるように保護コンテナ１に取り付けられる。ボトル１００内には、たとえばイーライ・リリー（Eli Lilly)製の牛呼吸疾患抗生物質、ミコチル{登録商標「Micotil」}（tilmicosin)が２５０ml収納されている。薬剤とボトル１００との合計重量は、通常、４５０ｇである。
【００７４】
図１〜図３に戻り、保護コンテナ１は、中心軸線Ｘを筒心とする概ね円筒形に形成されると共に、２つの構成部品、すなわちコンテナ部３とベース部５からなっている。コンテナ部３とベース部５は、異なる形状とするために異なる厚みを有する外側壁構造によって、輪郭が明確にされている。一般的に、外側壁構造は、だいたい１．０−２．０mm、好ましくは１．２−２．０mmの厚みを有している。
【００７５】
図４、図５及び図９〜図１２に示すように、コンテナ部３とベース部５は係合可能なロック要素７ａ，７ｂを備えており、該ロック要素７ａ，７ｂにより、コンテナ部３とベース部５を取外し可能に結合できるようになっている。したがって、保護コンテナ１は再使用可能になると共に、ユーザーは点検のためにボトル１００を取り外すことができる。
【００７６】
保護コンテナ１は、好ましくは、射出成形によりポリプロピレンから製造されると共に概ね１５７mm程度の長さを有する。ポリプロピレンは衝撃力を吸収できるように撓み可能なものが好ましい。例として、ポリプロピレンは、従来技術に使用されているように、ポリカーボネートよりも弾性力のある材料である。
【００７７】
図４〜図７において、ベース部５は外側シート面９を有しており、該外側シート面９は、保護コンテナ１が着座するための隆起した外辺部１０を有している。外側面９は、中央溝１３によって分離されて半径方向に対向する一対の凸部１１ａ、１１ｂによって輪郭が形成されている。固定又は静止ハンガー１７は、コンテナ１を逆さに吊下げるものであり、両凸部１１ａ，１１ｂ間の上記溝１３内に位置している。ハンガー１７は狭いストラット１８を有しており、該ストラット１８はその両端部が凸部１１ａ，１１ｂにそれぞれ連結し、ストラット１８内には、コンテナ１をフック又はこれに類する部材に吊り下げるための開口２０が形成されている。ストラット１８の断面形状は、溝１３から外側面９にゆくにしたがって小さくなるテーパに形成されている。このように、ストラップ１８は基端側が自由端側よりも肉厚になっている。図６及び図７のように、ハンガー１７は溝１３から突出しておらず、隆起状外辺部１０よりも低い位置に形成されており、したがって、ハンガー１７は、ベース部５が保護コンテナ１のシートとして使用された時に干渉することはない。
【００７８】
図７に戻り、凸部１１ａ，１１ｂはくぼんだ中空形状となっており、これにより、ボトル１００の底部１０３は、凸部１１ａ，１１ｂの内面２５ａ，２５ｂに載せられるのではなく、溝１３の内面２３に載せられることになる。この理由は単純である。もし保護コンテナ１がベース部５を下にして落下しても、凸部１１ａ，１ｂの少なくとも一方の隆起状の外辺部１０が地面にぶつかることになる。凸部１１ａ，１１ｂはくぼんだ中空形状に形成されると共に溝１３によって分割されているので、それらは、コンテナ部３側に、かつ、径方向の外方あるいは内方に変形し、衝撃力を吸収する。ハンガー１７は隆起状外辺部１０よりも低い位置に形成されているので、ハンガー１７が地面に衝突することはない。したがって、ボトル１００を支持している溝１３の内面２３にハンガー１７から衝撃力が伝わることはない。このようにして、ボルト１００の破損の確率を減少することができる。実際、国際安全輸送協会（ＮＳＴＡ）のガイドラインのテストでは、４５．３６ｋg(１００lb)の重量のパッケージについて次の結果を示している。落下試験員により高さ０．７６２ｍ（３０in）からコンテナのベース部５をコンクリートの表面に落下させた時に、保護コンテナ１は、ボトル１００を十分に保護するように、ボトル１００を損傷することなく保持し、その完全性を維持している。
【００７９】
ベース部５の外側円周には、コンテナ部３のロック要素７ａと係合可能なロック要素７ｂが形成されており、これらによりコンテナ部３とベース５を、取外し可能に一体的に結合できるようになっている。
【００８０】
図２，３及び図８〜図１３において、コンテナ部３は下側開口端２７、上端２９及び円筒形ボディ３１を有しており、上記下側開口端２７内に、ベース部５が取外し可能に固定できるようになっている。下側開口端２７を形成していることにより、コンテナ部３の外側面を人間工学的にラッパ形状に形成しており、これによりユーザーが保護コンテナ１を簡単に掴むことができると共に、自己注入の危険性を減少させている。
【００８１】
ボディ３１は波形に形成されており、リブ３７とくぼみ３９が交互に形成された一連の長いパネルを備えている。図１１及び図１２から理解できるように、くぼみ３９の内面４１はボトル１００の側面を抱えているが、リブ３７の内面はボトル１００の表面から径方向に間隔を置いており、これによりボトル１００とリブ３７の間に長さ方向のスペースを形成している。パネル３７，３９は２つの機能を有しており、ホルダーとしての把持表面を提供することと、保護コンテナ１の側部が、端縁や短い平坦面に落下衝突した場合に、ボトル１００を衝撃から保護することである。
【００８２】
上記後者の機能に関し、耐衝撃性はリブ３７によって維持されるものであり、リブとボトル１００の間に形成されたスペース内にリブ３７が変形することにより側部の衝撃エネルギーを吸収する。耐衝撃性を向上させるために、リブ３７の第１の厚みｔ1とくぼみ３９の第２の厚みｔ2を有するコンテナ部３の外壁構造物を形成する場合に、上記くぼみ３９の第２の厚みｔ2はリブ３７の第１の厚みｔ１より小さくなっている。リブ３７とくぼみ３９を連結する側壁は、好ましくは第１の厚みｔ1と第２の厚みｔ2の中間の第３の厚みｔ3を有している。このことは図１１に示してある。たとえば第１の厚みｔ1は概ね１．４mm、第２の厚みｔ2は概ね１．２mm、第３の厚みｔ3は概ね１．３mmとなっている。
【００８３】
本発明のこの実施の形態において、パネル３７，３９は、（i)ボトル１００の表面のラベル（図示せず）が、パネル３７，３９の端縁に邪魔されることなく容易に見られるように、そして（ii)より大きな柔軟性（可撓性）を提供するように、比較的広く形成されている。その結果、リブ３７に代わってくぼみ３９の表面が地面に衝突する可能性が高くなり、しかもくぼみ３９はボトル１００に直接接触しているので、ボトル１００が破損する可能性がでてくる。
【００８４】
このために、コンテナ部３のボディ３１はフレア状の連結部３３，３５により上端２９と下端２７に連結しており、それにより両端２９，２７は、ボディ３１の外周面から膨れるように形成されたリムを有するカラー４５，４７又はリブを有している。上記カラー４５，４７の直径はそれぞれ概ね１０４mmと８６mmである。これらと比較してボディ３１の直径は概ね８０mmとなっている。下側開口端２７のカラー４５の直径よりも上端２９のカラー４７の直径を小さくしていることにより、コンテナ部３の成形加工可能性が向上する。
【００８５】
もし、保護コンテナ１の側部が長い平坦面に落下する場合には、くぼみパネル３９ではなくて、カラー４５，４７が地面に衝突する。カラー４５，４７は、径方向の内方に変形することにより側部の衝撃力を吸収し、破損からボトル１００を保護する。４５．３６kg(１００lb）以下の重量のパッケージに関するＮＳＴＡのテストによるガイドラインには、落下試験者が０．７６２ｍ（３０in）の高さからコンテナ１の側部がコンクリート表面に衝突するように落下させた時に、ボトル１００を損傷から保護すると共にその完全な状態を維持し、ボルト１００のより強固な保護ができることが示されている。側部の衝撃力を吸収するためにコンテナ部３の上端２９でカラー４７が変形する可能性は、図８及び図１０を参照にして説明することができる。コンテナ部３の上端２９には、上端２９の外辺部に隣接する環状溝４９が設けられており、これによって、カラー４７のリムの下に内向き領域又は切り込みが形成され、カラー４７がその領域又は切り込み内で変形可能となっている。
【００８６】
この構造によると、カラー４７が、保護コンテナ１の落下による衝撃力を吸収するために下端２７に向けて変形することが可能となり、それによりボトル１００の端部を衝撃から保護する。カラー４７の内向き変形量が過大になるのを防ぐため、環状溝４９には、径方向（放射方向）に延びる複数の強化樹脂製リブ５０が設けられている。
【００８７】
図２及び図１０において、コンテナ部３の開口下端２７は、環状溝４８により分離された内側円周壁６５と外側円周壁６７を有している。外側円周壁６７はカラー４５のリムを提供し、環状溝４８はカラー４５が変形できるように内向き領域を与えている。内外の円周壁６５，６７は径方向の複数の補強リブ６９によって結合されており、該補強リブ６９によりカラー４５のリムの変形度合を制御する。図２から理解できるように、コンテナ部３とベース部５が結合された時に、内側円周壁６５とベース部５の外周側面の間に環状空間５２が形成される。環状空間５２は必要な時に内側円周壁６５が変形できる空間を提供する。
【００８８】
図３及び図８〜図１０において、コンテナ部３の上端２９の環状溝４９は、上端２９の中央に形成された円筒形ボス５１の周囲を巡っている。カラー４７内には、ボス５１に回動可能に連結されたフラップ５５を配置するためのスロット５３が形成されており、フラップ５５を回動して開くことにより、ボス５１の窓孔５７を開放できるようになっている。窓孔５７を通してボトル１００の口端のゴム栓１０１に接触することができる。図２及び図９から容易に理解できるように、フラップ５５はその中に窓孔５９を有しており、該窓孔５９はコンテナ部３の円錐面６０の突起６１に係合して、フラップ５５を開口位置に解除可能に固定できる。フラップ５５は、上記開口位置においては、スロット５３を通ってコンテナ部３の下端２７に向けて延びている。このようにして、フラップ５５は再閉塞可能に構成されている。これは、特に、ボトル１００内に多量の薬剤が収納されている場合に重要なことであり、保護コンテナ３の上端に付属ノズル１５０を取り付けた時に、後で詳しく述べるように、薬剤からユーザーを避けさせることができる。フラップ５５は、ボス５１の窓孔５７とフラップ５５の下側のアクチュエートリブ６３との係合によって閉位置に固定される。
【００８９】
図３及び図１０に示すように、ボス５１の外側面はカラー４７よりも少し上方に突出している。もし保護コンテナ１が、その端部で地面等に接触する場合には、ボス５１に衝撃が加えられることになるが、ボトル１００のゴム栓１０１が、ボス５１を介してボトル１００に伝達される衝撃力を吸収することにより、ボトル１００を破損から保護することができる。
【００９０】
図３、図９及び図１２において、ボス５１の内側面７１は、一対の湾曲壁７３によってスカート状に形成されている。湾曲壁７３は、ボトル１００が保護コンテナ１内に保持される時に、ゴム栓１０１を有するボトル１００の供給口側の端部を閉じるように構成され、配置されている。湾曲壁７３は、保護コンテナ１内におけるボトル１００の供給口端部の横方向の動きを規制する手段を提供すると共に、ボトル１００の供給口端部の位置決め機能も果たすようになっている。湾曲壁７３は、外周面にそれぞれ補強リブ７５を備えている。補強リブ７５は、コンテナ１の落下時に、湾曲壁７３がボトル１００の供給端によって強制的に離されるのを防止する。上記防止できる範囲は、供給端が湾曲壁７３により把持されず、かつ、コンテナ部３にボトル１００用に確保された隙間の内面に衝撃を与えない範囲である。
【００９１】
図１、図３及び図８〜図１０において、窓孔５７は円筒形ボス５１の凹部９６に位置しており、フラップ５５が閉位置から開位置に回動した時に、上記窓孔５７が開放される。図９、図１２及び図１３に最も明確に示しているように、凹部９６は両端側壁９７ａ、９７ｂを有し、各側壁９７ａ、９７ｂ内には、窓孔５７の近くにスロット９８ａ、９８ｂが形成されている。凹部９６及びスロット９８ａ、９８ｂの目的は、後で詳しく述べる。
【００９２】
図９〜図１２において、コンテナ部３のロック要素７ａはくぼみ３９の端部に形成されている。ロック要素７ａは、リブ９５からくぼみ３９の円周端面９３を分離しているスロット９１によって形成されている。図１１及び図１２に示すように、各ロック要素７ａのリブ９５はそれぞれ内側自由面９０を有しており、該内側自由面９０は、くぼみ３９の端面９３から径方向の外方に間隔を隔てている。図９〜図１１にさらに集速されているように、すべてのリブ９５ではないが、幾つかのリブ９５は、テーパー状の拡大部９２となる階段状に高くなった面を備えている。好ましくは、テーパー状の拡大部９２は直径方向の両端の一対のリブ９５に備えられている。もちろん、選択されたリブだけではなく、総てのリブ９５にテーパー状拡大部９２を備えることも可能である。
【００９３】
図４に示されているように、ベース部５上のロック要素７ｂは、周方向に等間隔をおいて配置されたリブ８０の形態をとっている。各リブ８０はテーパー状のリード部８１、拡大したトレール部８３及び凹んだ中間部８５を有している。両ロック要素７ａ、７ｂが、コンテナ部３とベース部５を結合するために協同作用する方法は、図１４Ａ―Ｃを参照することにより理解できる。
【００９４】
最初に、ベース部５がコンテナ部３の開口下端２７に挿入されるが、その時、（ｉ）ロック要素７ｂはロック要素７ａ間のリブ３７に隣接位置しており、（ｉｉ）抵抗目的のために、ベース部５のリム９４は、ロック要素７ａの端面９３に隣接している（図１４Ａ）。
【００９５】
次に、ベース部５は、ロック要素７ｂのリード部８１がコンテナ部３のロック要素７ａのスロット９１内に入るように、コンテナ部３に対して相対的に回転される。図１４Ｂから理解できるように、リード部８１のテーパー形状により、円周端面９３と連結リブ９５を分離し、及び／又はテーパー状のリード部８１が拡大部９２を乗り越えるようにテーパー状リード部８１を圧縮する。テーパー状リード部８１が拡大部９２を通過した後、コンテナ部３とベース部５の材料の弾性復元力により、リード部８１及び/又は拡大部９２は元の状態に変位するように戻り、それにより、図１４Ｃに示すように、拡大部９２はロック要素７ｂの中間凹部８５内に位置する。これにより、ベース部５の逆回転が拡大部９２の段面とテーパー状リード部８１との係合により阻止され、ベース部５はコンテナ部３にロックされる。
【００９６】
コンテナ部３とベース部５を取り外す場合には、コンテナ部３に対してベース部５を強い力で相対的に逆回転させる。これによりベース部５のリブ８０のテーパー状リード部８１が、コンテナ部３のリブ９５の拡大部９２を逆向きに乗り越える。
【００９７】
図１４Ａ−Ｃから判断できるように、ベース部５のリブ８０のトレール部８３は、スロット９１内へのリブ８０の侵入を制限するストッパーとして作用する。同様に、トレール部８３は、スロット９１内への侵入に先立ってコンテナ部３のリブ３７に位置するベース部５のリブ８０の逆転を防止する（図１４Ａ参照）。これにより、ベース部５をコンテナ部３に対しロック及びロック解除するために、ベース部５を正しい方向に回転させるようにユーザーを導くことができる。
【００９８】
勿論、コンテナ部３とベース部５を解除可能にロックするために、他のロック機構を用いることもできる。例として、スナップ嵌めのような他の形式、たとえば階段面のように相互に係合可能な面を基礎としたものを適用することもできる。
【００９９】
も適合する。
ロック機構は、回転運動や螺旋運動の他にも、コンテナ部３に対するベース部５の相対的な動きによって駆動させることもできる。
【０１００】
ロック機構の別の形態として、リブ９５の表面を突起のない低い平面状または実質的に平面状とする。リブ８０のリード部８１は対応するスロット９１に入り、リード部８１のテーパー断面により、円周端面９３と対応するリブ９５を分離し、それによりリード部８１がスロット９１の向こうに通過する。それからスロット９１はリード部８１を後から閉じる。そのような行程において、リブ９５はロック要素７ｂの中間凹部８５に係合するようになる。すなわち、中間部８５とリード部８１及びトレール部８３との間で形成された段により、ベース部５はコンテナ部３にロックされるようになる。
【０１０１】
コンテナ部３とリード部５とのロック解除は、コンテナ部３を強く握ることによりスロット９１を開き、ベース部５をの相対的に逆回転方向に回転でくるようにする。
【０１０２】
図１５から図１９には、ボトル１００の内容物を排出するするために保護コンテナ１の上端に取り付けられる付属ノズル１５０を示している。付属ノズル１５０は中央ピアシング部１５１及び外側連結部１５３を有している。ピアシング部１５１及び連結部１５３は、好ましくはプラスチック材の射出成形品とする。
【０１０３】
ピアシング部１５１は縦軸心Ｌを有しており、中央ボディ１５４と、該ボディ１５４のフランジ１５６から第１の方向に突出するスパイク１５５と、ボディ１５４から第２の反対方向に長く延びる延長部１５７から構成されている。
【０１０４】
図１６に示されているように、ピアシング部１５１は、内部に、軸心方向に沿って延びる第１と第２の内部通路１５９及び１６０を備えている。第１の通路１５９はスパイク１５５の先端１６３の開口１６１から延長部１５７の端部の開口１６５まで延びている。一方、第２の通路１６０は、スパイク１５５の先端１６３の開口１６７から閉塞孔１６９内に延びており、該閉塞孔１６９はピアシング部１５１のボディ１５４内に横向きに延びている。
【０１０５】
さらに図１６に示されているように、ピアシング部１５１の延長部１５７は、第２の方向に向って小径となるテーパーに形成されると共に、外周面に連続した鋸歯部又はかえし１７１が形成されており、自動あるいは手動の注射器またはその他の分配装置（図示せず）に連結されたチューブ１７３を、締り嵌めにより接続することができるようになっている。かえし１７１は、延長部を鋸歯形状にするように、第１の方向に向って開くようにテーパー状に形成されている。上記のように鋸歯形状とすることにより、チューブ１７３を延長部１５７に固定するするために、チューブ１７３をかえし１７１を越えて第１の方向へは押すことはできるが、チューブ１７３を延長部１５７から第２の方向に引き抜く試みに対しては抵抗するようになっている。
【０１０６】
図１５から理解できるように、弾性又はゴム製の栓１７４は、ピアシング部１５１の中央ボディ１５４内の閉塞孔１６９内に取り付けられている。上記栓１７４は先端１７９を有する短い軸１７５と、閉塞孔１６９の座ぐり入口１８３に着座する拡大頭部１８１を有している。通路１８５は頭部１８１から栓１７４内を経て軸１７５の先端１７９まで延びている。軸１７５の先端には、開閉可能なすり割り部分１８６が形成され、これにより通路１８５を開閉できるようになっている。
【０１０７】
図１６に戻り、ピアシング部１５１のスパイク１５５の先端１６３にノッチ１８７を形成することにより、ボトル１００のゴム栓１０１を孔明けするための先鋭端１８９を提供している。これは以下の説明により速やかに理解できる。見て分かるように、ノッチ１８７を形成することにより、第２の通路１６０の先端開口１６７は、第１の通路１５９の先端開口１６１よりも先鋭端１８９に近くに位置することになる。
【０１０８】
付属ノズル１５０の連結部１５３は中空ボディ２０１を有しており、該中空ボディ２０１内にピアシング部１５１が挿入され、ピアシング部１５１と連結部１５３は、縦軸心Ｌ回りに相対回転可能に連結されている。ボディ２０１は環状のスカート２０３を有しており、該スカート２０３はユーザーが掴むための外向きリブ２０４と、ボディ２０１のトレール端２０７でスカート２０３を横切る屋根２０５を有している。
【０１０９】
内周通路２０９は、ボディ２０１のリード端２１３内の第１開口２１１からボディ２０１を通り屋根２０５内の第２開口２１５まで延びている。屋根２０５の第２開口２１５の直径は第１開口２１１の直径よりも小さくなっている。実際、第２開口２１５の直径は、延長部１５７の最も内側のかえし１７１の最大直径よりもわずかに小さくなっており、これにより、かえし１７１のテーパー形状により、延長部１５７は屋根２０５を貫通して挿入できるが、簡単には抜け落ちないようになっている。図１６に示されているように、連結部１５３が、連結部１５３の屋根２０５でピアシング部１５１に係止保持され、上記屋根２０５は、付属ノズル１５０の位置によって、ボディ１５４のトレール端面２１７又は最も内側のかえし１７１に留まる。
【０１１０】
好ましくは、最も内側のかえし１７１とトレール端面２１７との間隔は、連結部１５３の屋根２０５の厚みに略対応し、連結部１５３がピアシング部１５１に取り付けられた時に、相対的な軸方向の移動が制限されるようになっている。
【０１１１】
連結部１５３のボディ２０１は、そのリード端２１３に外向きのフランジ２１９を有している。このフランジ２１９は、図１８に示すように、湾曲端部２２３によって連結される直線サイド２２１を有している。直線サイド２２１間の間隔は、保護コンテナ１のボス５１内の凹部９６の両側壁９７ａ，９７ｂ間の間隔に対応している。このように、連結部１５３は、互いに補完する側壁９７ａ，９７ｂ及びサイド２２１を介して、凹部９６内に割り込むことができる。
【０１１２】
コンテナシステム２００の作用のために、次の段階は前置き程度として理解される。
【０１１３】
・付属ノズル１５０は、図１６に示すように、ピアシング部１５１を連結部１５３に挿入すると共に弾性チューブ１７３に接続することにより、組み立てられる。
【０１１４】
・ボトル１００は保護コンテナ１のコンテナ部３内に挿入され、コンテナ部の分配端は、円筒形ボス５１の湾曲壁７３によって、ゴム栓１０１が窓孔５７と同一直線状に並ぶように位置決めされる。
【０１１５】
・ベース部５は、図１４Ａ-Ｃに示すように、相互に補完するロック要素７ａ，７ｂを介してコンテナ部３に固定される。
【０１１６】
それから、保護コンテナ１のフラップ５５は、窓孔５７及び保護コンテナ１に保持されたボトル１００のゴム栓１０１を露出させるように、開位置に回動される。次に、付属ノズル１５０は保護コンテナ１の上端２９に向けて運ばれ、スパイク１５５が、窓孔５７を通過してボトル１００のゴム栓１０１内に挿入される。
【０１１７】
第２の通路１６０に形成された先端開口１６７は、スパイク１５５の先鋭端１８９の最も近くに位置しているので、第２の通路１６０は、第１の通路１５９に先行してボトル１００の内部に、液体流通可能に連通する。これにより、ボトル１００は、必要な場合には、第２の通路１６０及び連絡栓１７４を介して通気可能となる。さらに、ボトル１００のゴム栓１０１内に入っているスパイク１５５の導入部は、第１の通路１５９の先端開口１６１がボトル１００の内部と液体流通可能な状態となる。
【０１１８】
ピアシング部１５１のスパイク１５５は、前記ピアシング部１５１のフランジ１５６がゴム栓１０１に接触し、そして、連結部１５３がボス５１の凹部９６内に入り、そのフランジ２１９が凹部９６内で各側壁９７ａ，９７ｂとサイド２２１が同一直線上に揃う状態で着座することによって割り出し作用をするまで、ボトル１００のゴム栓１０１内に挿入される。この割り出し位置は、図１９Ａに示されている。
【０１１９】
図１９Ｂに示すように、次に、連結部１５３は、凹部９６内の割り出し位置からフランジ２１９の湾曲端２２３が凹部９６の側壁９７ａ，９７ｂのスロット９８ａ，９８ｂ内に入り込む位置まで、ピアシング部１５１に対して相対的に回転される。連結部１５３のフランジ２１９の湾曲端部２２３がスロット９８ａ，９８ｂ内に入り込むと、付属ノズル１５０は保護コンテナ１に固定される。なお、付属ノズル１５０は、連結部１５３をピアシング部１５１に対し相対的に回転させて前記割り出し位置に戻すことにより、保護コンテナ１から簡単に取り外すことができる。
【０１２０】
一旦、付属ノズル１５０が保護コンテナ１に固定されると、保護コンテナ１は固定ハンガー１７によって吊り下げられ、ボトル１００内の収容物は、チューブ１７３を通り、第１の通路１５９を介して注射器又は他の分配装置へ排出することができる。
【０１２１】
通常、収容物は付属ノズル１５０から排出されるので、供給中はボトル１００内の真空度が高まってゆく。第２の通路１６０の連絡栓１７４は、ボトル１００から収容物が簡単に排出できるように空気抜きの機能を果たしており、上記のように真空度合が高くなることにより、供給が不正確で、遅くて、困難になるのを避けている。しかしながら、このような空気抜きシステムは、ボトル１００が折り畳み式又はピローパック式である場合には、必要としない。
【０１２２】
図２０〜図２５は、本発明の別の実施の形態による保護コンテナ１’を示してある。保護コンテナ１’は、以下のこと以外については、総ての点についてコンテナシステム２００の保護コンテナ１と同じである。
【０１２３】
第１に、図２０〜図２４に示すように、ベース部５’の外側シート面９’の溝１３’の中央部には、傾斜路１５’を有する三角部が形成されており、該三角部には、逆さ姿勢で保護コンテナ１を吊り下げるために、ハンガー１７’が折り曲げ可能に形成されている。ハンガー１７’は、展開位置と折り畳み位置の間で移動可能であり、上記展開位置とは、保護コンテナ１’を吊り下げるためにハンガー１７’の窓孔２０’が利用できるように、ハンガー１７’を直立に起立させた状態であり、折り畳み位置とは、留金２１’によって溝１３’内に解除可能に固定された状態である。これにより、ハンガー１７’は、保護コンテナ１’のシートとして用いられるベース部５’とは干渉しない。
【０１２４】
図２３において、ベース部５’を底面から見ると、ベース部５’の凸部１１ａ’，１１ｂ’はくぼんでいる。これにより、ボトル１００の底部は、凸部１１ａ´、１１ｂ´の内面２５ａ´、２５ｂ´ではなくて、溝１３’の内面２３’の上に載せられる。この理由は、前述の保護コンテナ１に関する場合と同じである。すなわち、保護コンテナ１’が落下してそのベース部５が衝突した場合に、ボトル１００に衝撃力が伝わるのを避けるためである。したがって、ボトル１００の破損の可能性は従来の保護コンテナを使用する場合に比べると低減する。実際、４５．３６ｋｇ（１００ｌｂ）以下のパッケージについての国際安全輸送協会（ＮＳＴＡ）のガイドラインにしたがったテストによると、保護コンテナ１’は、落下試験員によって０．７６２ｍ（３０ｉｎ）の高さからそのベース部５’がコンクリート面に接触するように落下させた時に、従来のコンテナよりも保護機構が高いことが示されている。このことは、従来のコンテナに比べて、保護コンテナ１’は、（ｉ）ガラス瓶を、より多くの場合に破損から護ることができ、（ｉｉ）ボトル１００のためのより強固な保護を一層手頃に提供できるように、無傷状態を維持できる。
【０１２５】
第２に、保護コンテナ１´は、コンテナ部３’の上端２９’でボス５１の凹部９６’の側壁９７ａ’、９７ｂ’内にスロットが形成されていない限り、図１〜図１９のコンテナシステム２００の付属ノズル１５０を受け入れるようには構成されない。この実施の形態においては、保護コンテナ１’内に収納されたボトル１００内の１回分の液体薬剤は、注射器（図示せず）の針を、ボス５１’の凹部９６’の窓孔５７’を通し、ゴム栓１０１に貫通挿入することにより、排出される。
【０１２６】
第３に、窓孔５７’を閉じるために用いられるフラップ５５’は、プラグ６３’と窓孔５７’の間の締り嵌めを介して、閉じ位置に固定される。勿論、本発明の実施において、フラップ５５’を閉じ位置に固定するための他の形態の固定機構を利用することも可能である。
【０１２７】
図２０〜図２５の保護コンテナ１’において示された新たな特徴は、相互に従属関係にないことは認識できる。したがって、これらの特徴は本発明の実施において、選択し、組み合せることが可能である。一例として、保護コンテナ１’のベース部５’の代わりに、別の形態の保護コンテナ１のベース部５を、何の変更もすることなく適用することが可能である。また、別の形態の保護コンテナ１’のボスの凹部９６’の側壁９７ａ’，９７ｂ’に、スロットを設けることにより、フラップ５５’のプラグ６３’又はベース部５’を変更することなく、付属ノズル１５０を取り付けられるようにすることもできる。
【０１２８】
前記のようなＮＳＴＡのテストに加え、室温での保護コンテナ１；１’の落下テストによると、高さ１ｍから硬い面に両端９，２９；９’，２９’及び側部３１；３１’が衝突するように連続的に落下させた場合でも、いずれのボトルも破壊されなかった。温度５°Ｃのテストでも同じ結果がでている。保護コンテナ１；１’（ただしボトル１００ではない）が、１８°Ｃの状況下にある時でさえ、同様のテストで、ボトル１００はほんの２０％が破壊されただけであった。
【０１２９】
各落下位置のための臨界落下高さ（ＣＤＨ）は、室温及び５°Ｃにおいて測定された。その結果を以下に表示する。
【０１３０】
【表１】
2004526636.tif 000002
【０１３１】
「臨界落下高さ」が意味するものは、該高さ以上では、保護コンテナ１；１’によってはボトル１００を破壊から保護できない落下高さである。
【０１３２】
図２６Ａ及び図２６Ｂを参照して、フラップ５５’が閉じ位置に位置している時に、図２０〜図２５の別の形態の保護コンテナ１’のボス５１’に、情報記載ラベル１０１が貼られている。このラベル１０１には、たとえば、ボトル１００のゴム栓１０１の中に注射針を挿入できるように、フラップ５５’を開位置に開いて掛け金する方法が記載されている。ラベルには、フラップ５５’の端縁位置に合わせて脆い線又は点線（いわゆるミシン目）が設けられており、それによりラベル１０１を、フラップ５５’上の中央セクション１０１ａと、ボス５１’上の径方向両端の１対の部分球面状のサイドセクション１０１ｂに分割している。
【０１３３】
図２６Ｂから理解できるように、この結果、フラップ５５’の最初の開口時に、ラベル１０１の中央セクション１０１ａが、部分球面状のサイドセクション１０１ｂから分離される。しかしながら、フラップ５５’が閉じた時には、中央セクション１０１ａとサイドセクション１０１ｂは、ボトル１０内の所定量の薬剤の次の投与を読み取れるように、一緒に合わされてレベル１０１を再構成する。これによって、コンテナ部３の円筒形ボディ３１’にラベルを貼りつけることによりボトル１００のラベルが見えなくなるのを避けることができる。
【０１３４】
当該技術分野における当業者ならば理解できるように、情報を記載したラベル１０１の使用は、図２０〜図２５の別の形態の保護コンテナ１’に限定されるものではなく、図１〜図１９に示す保護コンテナ１にも同様に適用することができる。
【０１３５】
この例におけるラベル１０１には、たとえば、保護コンテナ１に付属ノズルを取り付ける方法を記載してもよい。
【０１３６】
ここに示すような保護コンテナは、ガラスのような壊れ易い薬剤容器を収納するのに用いられていた従来の保護コンテナにはない幾つかの利点を有しており、そのような利点を、完全ではないが以下に示す。
【０１３７】
１．衝撃からの容器の保護機能が向上する。
【０１３８】
２．ユーザーがボトルの中にノズル又は注射器を挿入するのを手助けできるように、逆向き姿勢にコンテナを吊り下げる手段を一体に備えている。
【０１３９】
３．ユーザーがノズル又は針をボトル内に挿入する作業を妨げない位置にフラップを係止するための掛け金機構を備えている。
【０１４０】
４．保護コンテナが掴み易くなる人間工学的な形状を有している。
【０１４１】
当業者なら理解できるように、本発明はここに述べた実施の形態に限定されるものではなく、多くのバリエーションと変形例を有しており、それらは添付の特許請求の範囲内に含まれる。たとえば、ポリプロピレン（プラスチック及びその他）に加え、他の柔軟な又は弾性を有する材料を保護コンテナに使用することができる。さらに、保護コンテナのカラーは、たとえば分離したビーズの分割リング形状のように不連続にすることもできる。別の例として、カラーを不要とすると共に、保護コンテナが常に側面からの衝撃時にリブの一つで着地するように、選択されたコンテナー部の一方の側面にパネルによって間隔をあけることもできる。さらに、ベース部は、コンテナ部に恒久的に連結し、ボトルの挿入及び取り出しができるように、たとえばヒンジ式連結により開位置と閉位置の間で移動可能とすることもできる。
【０１４２】
また、当業者ならば理解できるように、本発明は、ミコチルのような液体薬剤を収納するための保護コンテナには限定されない。本発明の保護コンテナは、他の容器及び、液体形態、粉末形態または他の形態に関らず他の形態で分配される内容物に適用できる。同様に、セラミックやガラス構造物のように一般的に脆い物品の貯蔵及び輸送にも適用できる。
【０１４３】
なお、請求項で記載した部品の符号は、図面のためのものであり、請求項の範囲を制限するものではない。
【図面の簡単な説明】
【０１４４】
【図１】保護コンテナ、ボトル及び付属ノズルからなる本発明のコンテナステムの分解斜視図である。
【図２】組立状態の示保護コンテナの斜視図である。
【図３】組立状態の示保護コンテナの縦断側面図である。
【図４】保護コンテナのベース部の斜視図である。
【図５】ベース部の平面図である。
【図６】図５のベース部のＡ−Ａ線断面図である。
【図７】図５のベース部のＢ−Ｂ線断面図である。
【図８】保護コンテナのコンテナ部の平面図である。
【図９】図８のコンテナ部のＣ−Ｃ線断面図である。
【図１０】図８のコンテナ部のＤ−Ｄ線断面図である。
【図１１】図１０のベース部のＥ−Ｅ線部分断面図である。
【図１２】コンテナ部の底面図である。
【図１３】図１０詳細部Ｙの拡大図である。
【図１４Ａ−Ｃ】ベースとコンテナ部分を一体となるようにロックするために、ベースとコンテナ部に形成したロック要素の相互作用を順に示す展開略図である。
【図１５】付属ノズルの分解図である。
【図１６】組立状態を示す付属ノズルの断面図である。
【図１７】図１６のＦ-Ｆ線断面図である。
【図１８】付属ノズルの連結部分の底面図である。
【図１９Ａ−Ｂ】付属ノズルを保護コンテナに連結するための工程を順に示す図８に対応する図である。
【図２０】本発明によるコンテナの変形例を示す縦断側面図である。
【図２１】保護コンテナの変形例を示す斜視図である。
【図２２】保護ンコンテナの変形例のベース部の外面を示す図である。
【図２３】図２２に示すベース部の内面を示す図である。
【図２４】図２２に示すベース部の側面図である。
【図２５】保護コンテナの変形例のコンテナ部の上端を示す図である。
【図２６Ａ−Ｂ】保護コンテナの変形例のコンテナ部の上端に貼られた再生可能なラベルの図である。
【国際公開パンフレット】
2004526636.tif 000003
2004526636.tif 000004
2004526636.tif 000005
2004526636.tif 000006
2004526636.tif 000007
2004526636.tif 000008
2004526636.tif 000009
2004526636.tif 000010
2004526636.tif 000011
2004526636.tif 000012
2004526636.tif 000013
2004526636.tif 000014
2004526636.tif 000015
2004526636.tif 000016
2004526636.tif 000017
2004526636.tif 000018
2004526636.tif 000019
2004526636.tif 000020
2004526636.tif 000021
2004526636.tif 000022
2004526636.tif 000023
2004526636.tif 000024
2004526636.tif 000025
2004526636.tif 000026
2004526636.tif 000027
2004526636.tif 000028
2004526636.tif 000029
2004526636.tif 000030
2004526636.tif 000031
2004526636.tif 000032
2004526636.tif 000033
2004526636.tif 000034
2004526636.tif 000035
2004526636.tif 000036
2004526636.tif 000037
2004526636.tif 000038
2004526636.tif 000039
2004526636.tif 000040
2004526636.tif 000041
2004526636.tif 000042
2004526636.tif 000043
2004526636.tif 000044
2004526636.tif 000045
2004526636.tif 000046
2004526636.tif 000047
2004526636.tif 000048
2004526636.tif 000049
2004526636.tif 000050
2004526636.tif 000051
2004526636.tif 000052
2004526636.tif 000053
2004526636.tif 000054
2004526636.tif 000055
2004526636.tif 000056
2004526636.tif 000057
2004526636.tif 000058
2004526636.tif 000059
2004526636.tif 000060
2004526636.tif 000061
2004526636.tif 000062
2004526636.tif 000063
2004526636.tif 000064
2004526636.tif 000065
2004526636.tif 000066
2004526636.tif 000067
2004526636.tif 000068
2004526636.tif 000069
2004526636.tif 000070
2004526636.tif 000071
2004526636.tif 000072
【国際公開パンフレット（コレクトバージョン）】
2004526636.tif 000073